【手続補正書】
【提出日】平成16年12月24日(2004.12.24)
【手続補正１】
【補正対象書類名】明細書
【補正対象項目名】特許請求の範囲
【補正方法】変更
【補正の内容】
【特許請求の範囲】
【請求項１】
被写体を撮影して画像データを記憶手段に順次記憶し、再生時に該記憶手段に記憶した画像データを表示する表示装置を有する電子撮像装置において、
前記記憶手段に記憶された画像データ毎に外部機器に送信するか否かを設定する送信許可設定手段と、
前記送信許可設定手段によって送信が許可されている画像データを、前記記憶手段から読み出し、所定の暗号キーを用いて暗号化する暗号化手段と、
前記暗号化手段により暗号化された画像データを外部機器に送信する送信手段と
を具備することを特徴とする電子撮像装置。
【請求項２】
前記表示装置に画像データを表示する際、該画像データが前記送信許可設定手段により送信が許可された画像データである場合、送信が許可されていることを前記表示装置に前記画像データとともに認識可能に表示することを特徴とする請求項１記載の電子撮像装置。
【請求項３】
被写体を撮影して画像データを順次記憶する記憶手段と、再生時に該記憶手段に記憶した画像データを表示する表示手段とを有する電子撮像装置と、
前記電子撮像装置とは別体であって、前記記憶手段に記憶されている画像データを選択して暗号化する暗号化手段を備える端末装置とからなり、
前記電子撮像装置は、前記端末装置の暗号化手段により暗号化された画像データを送信する送信手段を具備することを特徴とする電子撮像システム。
【請求項４】
被写体を撮影して画像データを順次記憶する記憶手段と、再生時に該記憶手段に記憶した画像データを表示する表示手段と、送信されてくる画像データを受信する受信手段とを備える電子撮像装置と、
前記電子撮像装置とは別体であって、前記受信手段により受信された画像データのうち、暗号化されている画像データを復元する復元手段を備える端末装置とからなり、
前記電子撮像装置は、前記端末装置の復元手段により復元された画像データを前記記憶手段に記憶することを特徴とする電子撮像システム。
【請求項５】
被写体を撮影して画像データを記憶手段に順次記憶し、再生時に該記憶手段に記憶した画像データを表示する表示装置を有する電子撮像装置において、
シャッターキーの操作に応答して、撮影した画像データを暗号化する暗号化手段を具備することを特徴とする電子撮像装置。
【請求項６】
送信手段を有し、複数の画像を撮影して対応する画像データを得る電子撮像装置において、
画像データを暗号化する暗号化手段を備え、
前記送信手段により画像データを送信する際、暗号化されている画像データを送信し、暗号化されていない画像データの送信を禁止することを特徴とする電子撮像装置。
【手続補正２】
【補正対象書類名】明細書
【補正対象項目名】０００５
【補正方法】変更
【補正の内容】
【０００５】
【課題を解決するための手段】
上記目的達成のため、請求項１記載の発明による電子撮像装置は、被写体を撮影して画像データを記憶手段に順次記憶し、再生時に該記憶手段に記憶した画像データを表示する表示装置を有する電子撮像装置において、前記記憶手段に記憶された画像データ毎に外部機器に送信するか否かを設定する送信許可設定手段と、前記送信許可設定手段によって送信が許可されている画像データを、前記記憶手段から読み出し、所定の暗号キーを用いて暗号化する暗号化手段と、前記暗号化手段により暗号化された画像データを外部機器に送信する送信手段とを具備することを特徴とする。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
また、好ましくは、例えば請求項２記載のように、前記表示装置に画像データを表示する際、該画像データが前記送信許可設定手段により送信が許可された画像データである場合、送信が許可されていることを前記表示装置に前記画像データとともに認識可能に表示するようにしてもよい。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】変更
【補正の内容】
【００１１】
また、上記目的達成のため、請求項３記載の発明による電子撮像システムは、被写体を撮影して画像データを順次記憶する記憶手段と、再生時に該記憶手段に記憶した画像データを表示する表示手段とを有する電子撮像装置と、前記電子撮像装置とは別体であって、前記記憶手段に記憶されている画像データを選択して暗号化する暗号化手段を備える端末装置とからなり、前記電子撮像装置は、前記端末装置の暗号化手段により暗号化された画像データを送信する送信手段を具備することを特徴とする。
【手続補正９】
【補正対象書類名】明細書
【補正対象項目名】００１２
【補正方法】変更
【補正の内容】
【００１２】
また、上記目的達成のため、請求項４記載の発明による電子撮像システムは、被写体を撮影して画像データを順次記憶する記憶手段と、再生時に該記憶手段に記憶した画像データを表示する表示手段と、送信されてくる画像データを受信する受信手段とを備える電子撮像装置と、前記電子撮像装置とは別体であって、前記受信手段により受信された画像データのうち、暗号化されている画像データを復元する復元手段を備える端末装置とからなり、前記電子撮像装置は、前記端末装置の復元手段により復元された画像データを前記記憶手段に記憶することを特徴とする。
【手続補正１０】
【補正対象書類名】明細書
【補正対象項目名】００１３
【補正方法】変更
【補正の内容】
【００１３】
また、上記目的達成のため、請求項５記載の発明による電子撮像装置は、被写体を撮影して画像データを記憶手段に順次記憶し、再生時に該記憶手段に記憶した画像データを表示する表示装置を有する電子撮像装置において、シャッターキーの操作に応答して、撮影した画像データを暗号化する暗号化手段を具備することを特徴とする。
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】変更
【補正の内容】
【００１５】
また、上記目的達成のため、請求項６記載の発明による電子撮像装置は、送信手段を有し、複数の画像を撮影して対応する画像データを得る電子撮像装置において、画像データを暗号化する暗号化手段を備え、前記送信手段により画像データを送信する際、暗号化されている画像データを送信し、暗号化されていない画像データの送信を禁止することを特徴とする。
【手続補正１３】
【補正対象書類名】明細書
【補正対象項目名】００６８
【補正方法】変更
【補正の内容】
【００６８】
【発明の効果】
請求項１記載の発明によれば、暗号化手段によって、送信許可設定手段によって送信が許可されている画像データを、所定の暗号キーを用いて暗号化し、送信手段によって、暗号化された画像データを外部機器に送信するようにしたので、送信許可した画像データを他の機器へ送信する際、特定の画像データ、例えば機密性を有する画像データを他人に見られることを防止できるという利点が得られる。
【手続補正１４】
【補正対象書類名】明細書
【補正対象項目名】０００６９
【補正方法】削除
【補正の内容】
【手続補正１５】
【補正対象書類名】明細書
【補正対象項目名】００７０
【補正方法】変更
【補正の内容】
【００７０】
また、請求項２記載の発明によれば、前記表示装置に画像データを表示する際、該画像データが前記送信許可設定手段により送信が許可された画像データである場合、送信が許可されていることを前記表示装置に前記画像データとともに認識可能に表示するようにしたので、送信許可に設定した画像データであるか否かを容易に判別できるという利点が得られる。
【手続補正１６】
【補正対象書類名】明細書
【補正対象項目名】０００７１
【補正方法】削除
【補正の内容】
【手続補正１７】
【補正対象書類名】明細書
【補正対象項目名】０００７２
【補正方法】削除
【補正の内容】
【手続補正１８】
【補正対象書類名】明細書
【補正対象項目名】０００７３
【補正方法】削除
【補正の内容】
【手続補正１９】
【補正対象書類名】明細書
【補正対象項目名】００７４
【補正方法】変更
【補正の内容】
【００７４】
また、請求項３記載の発明によれば、画像データを記憶手段に順次記憶し、再生時に該記憶手段に記憶した画像データを表示手段に表示する電子撮像装置とは別体の端末装置で、前記記憶手段に記憶されている画像データを暗号化手段によって選択して暗号化し、前記電子撮像装置の送信手段によって、前記端末装置の暗号化手段により暗号化された画像データを送信するようにしたので、暗号化のために、電子撮像装置の回路構成を複雑化したり、ハードウェアに負荷をかけることなく、記録した画像データを他の機器へ送信する際、特定の画像データ、例えば機密性を有する画像データを他人に見られることを防止できるという利点が得られる。
【手続補正２０】
【補正対象書類名】明細書
【補正対象項目名】００７５
【補正方法】変更
【補正の内容】
【００７５】
また、請求項４記載の発明によれば、画像データを記憶手段に順次記憶し、再生時に該記憶手段に記憶した画像データを表示手段に表示する電子撮像装置とは別体の端末装置で、電子撮像装置の受信手段により受信された画像データのうち、暗号化されている画像データを復元手段により復元し、該復元された画像データを前記電子撮像装置の記憶手段に記憶するようにしたので、復元するために、電子撮像装置の回路構成を複雑化したり、ハードウェアに負荷をかけることなく、記録した画像データを他の機器へ送信する際、特定の画像データ、例えば機密性を有する画像データを他人に見られることを防止できるという利点が得られる。
【手続補正２１】
【補正対象書類名】明細書
【補正対象項目名】００７６
【補正方法】変更
【補正の内容】
【００７６】
また、請求項５記載の発明によれば、シャッターキーが操作されると、暗号化手段によって撮影した画像データを暗号化し、記憶手段に記憶するようにしたので、撮影した画像データを他人に見られることを防止できるという利点が得られる。
【手続補正２２】
【補正対象書類名】明細書
【補正対象項目名】００７７
【補正方法】削除
【補正の内容】
【手続補正２３】
【補正対象書類名】明細書
【補正対象項目名】００７８
【補正方法】変更
【補正の内容】
【００７８】
また、請求項６記載の発明によれば、撮影した画像データを暗号化手段によって暗号化し、送信手段により画像データを送信する際、暗号化されている画像データはそのまま送信し、暗号化されていない画像データは送信しないようにしたので、特定の画像データ（機密性を有する画像データ）を他人に見られることを防止できるという利点が得られる。